(57)【要約】      （修正有）【課題】構造がシンプルで巧妙であり、機能が実用的であり、使用ニーズを完全に満たすことができるリングホルダーを提供する。【解決手段】リングホルダーは、固定層が下面に設けられている固定部材１０と、固定部材の上面に回転接続され、取付キャビティが側壁に設けられている回転輪２０と、固定部材と協働して、回転輪を固定部材との間に固定する係着部材３０と、回転輪の外側壁に設けられ、回転輪の外側壁と協働する回転環４０であって、取付キャビティに回転接続されている回転環と、を含む。【選択図】図２
0003226348.tif 000002
【実用新案登録請求の範囲】
【請求項１】
固定層が下面に設けられている固定部材と、
前記固定部材の上面に回転接続され、取付キャビティが側壁に設けられている回転輪と、
前記固定部材と協働して、前記回転輪を前記固定部材との間に固定する係着部材と、
前記回転輪の外側壁に設けられ、前記回転輪の外側壁と協働する回転環であって、前記取付キャビティに回転接続されている回転環と、を含む
ことを特徴とするリングホルダー。
【請求項２】
前記回転輪と前記係着部材との接触面には、位置決め装置が設けられている
ことを特徴とする請求項１に記載のリングホルダー。
【請求項３】
前記位置決め装置は、
環状をなすように、前記回転輪の上面に設けられている少なくとも１つの位置決め溝部と、
前記係着部材の下面に設けられ、前記位置決め溝部と協働する位置決め突起と、を含む
ことを特徴とする請求項２に記載のリングホルダー。
【請求項４】
前記固定部材には、少なくとも１つの弾性フックが設けられ、前記係着部材には、前記弾性フックと協働する環状係着フランジが設けられている
ことを特徴とする請求項１に記載のリングホルダー。
【請求項５】
前記弾性フックは、少なくとも２つであり、隣接する前記弾性フックの間に隙間が形成され、前記環状係着フランジには、前記隙間と協働する第一ストッパーが設けられている
ことを特徴とする請求項４に記載のリングホルダー。
【請求項６】
前記回転環は、
切り欠きが設けられている環体であって、前記回転輪の外側壁に設けられ、前記回転輪の外側壁と協働する環体と、
前記切り欠きの間に設けられ、前記取付キャビティと協働する回転ロッドと、を含む
ことを特徴とする請求項１に記載のリングホルダー。
【請求項７】
前記回転ロッドには、少なくとも１つの第二ストッパーが設けられており、前記取付キャビティは、回転ロッドと協働する回転ロッド回転用キャビティと、前記第二ストッパーと協働するストッパー回転用キャビティと、を含む
ことを特徴とする請求項６に記載のリングホルダー。
【請求項８】
前記回転ロッド回転用キャビティの側壁には、少なくとも１つの弧状係着溝が設けられ、前記回転ロッドには、前記弧状係着溝と協働する弧状突起が設けられている
ことを特徴とする請求項７に記載のリングホルダー。
【請求項９】
前記第二ストッパーの高さは、前記回転ロッドと取付キャリアとの間の隙間の幅よりも大きい
ことを特徴とする請求項７に記載のリングホルダー。
【請求項１０】
前記係着部材の上面には、円環状ざぐりが設けられ、前記円環状ざぐりには、ＰＣシートが設けられている
ことを特徴とする請求項１に記載のリングホルダー。
【考案の詳細な説明】
【技術分野】
【０００１】
本実用新案は、携帯電話の周辺機器の分野に関し、特に、リングホルダーに関する。
【背景技術】
【０００２】
科学技術の急速な発展に伴い、ハイテクエステという業種が新たな産業として誕生した。ファッションＩＴブランドにおいては、市場の多元的な発展に連れ、携帯電話のブランド及び機能が多様化しており、携帯電話ケースの種類も日増しに多くなっている。リングホルダー型の携帯電話ケースは、材質によって、硬質プラスチック類、金属類に分けられている。リングホルダー型携帯電話ケースである保護ケースは、お使いの携帯電話を風景にする装飾としてだけでなく、携帯電話を保護し、転落防止、擦り傷防止、浸水防止、衝撃防止、盗難防止、落下防止することができる。
【０００３】
現在、市販のリングホルダーは、構造が複雑で、機能が単一になっている。
【０００４】
従って、市場においては、上述した１つ又は複数の問題点を解決できるリングホルダーが切に求められている。
【考案の概要】
【考案が解決しようとする課題】
【０００５】
本実用新案は、従来技術に存在する１つ又は複数の問題点を解決するためのリングホルダーを提供している。
【課題を解決するための手段】
【０００６】
本実用新案において、上述した目的を達成するための技術案としては、
固定層が下面に設けられている固定部材と、
前記固定部材の上面に回転接続され、取付キャビティが側壁に設けられている回転輪と、
前記固定部材と協働して、前記回転輪を前記固定部材との間に固定する係着部材と、
前記回転輪の外側壁に設けられ、前記回転輪の外側壁と協働する回転環であって、前記取付キャビティに回転接続されている回転環と、を含むリングホルダーである。
【考案の効果】
【０００７】
本実用新案の有益な効果は、以下の通りである。本実用新案は、固定層が下面に設けられている固定部材と、前記固定部材の上面に回転接続され、取付キャビティが側壁に設けられている回転輪と、前記固定部材と協働して、前記回転輪を前記固定部材との間に固定する係着部材と、前記回転輪の外側壁に設けられ、前記回転輪の外側壁と協働する回転環であって、前記取付キャビティに回転接続されている回転環と、を含む。上記の設計により、その構造がシンプルで巧妙であり、機能が実用的であり、現在の人々の使用ニーズを完全に満たすことができる。
【図面の簡単な説明】
【０００８】
【図１】図１は、本実用新案の好適な実施例に係るリングホルダーの構造模式図である。
【図２】図２は、本実用新案の好適な実施例に係るリングホルダーの図１におけるＡ−Ａ方向の断面図である。
【図３】図３は、本実用新案の好適な実施例に係るリングホルダーの分解図である。
【図４】図４は、本実用新案の好適な実施例に係るリングホルダーにおける回転輪の構造模式図である。
【図５】図５は、本実用新案の好適な実施例に係るリングホルダーにおける固定部材の構造模式図である。
【図６】図６は、本実用新案の好適な実施例に係るリングホルダーにおける接続部材の構造模式図である。
【図７】図７は、本実用新案の好適な実施例に係るリングホルダーにおける回転環の構造模式図である。
【考案を実施するための形態】
【０００９】
図１〜図３に示すように、本実用新案は、固定部材１０、回転輪２０、係着部材３０及び回転環４０を含むリングホルダーを開示しており、
前記固定部材１０の下面に固定層（不図示）が設けられており、
前記回転輪２０は、前記固定部材１０の上面に回転接続され、その側壁に取付キャビティ２１が設けられており、
前記係着部材３０は、前記固定部材１０と協働して、前記回転輪２０を前記係着部材３０と前記固定部材１０との間に固定し、
前記回転環４０は、前記回転輪２０の外側壁に設けられ、前記回転輪２０の外側壁と協働し、前記取付キャビティ２１に回転接続されている。
【００１０】
具体的に、本実施例において、固定層（不図示）は、一般的に両面テープであるが、いくつかの特殊な使用場面では、例えば、取付キャリアが、磁石によって磁気的に引き付けられる金属である場合、この固定層（不図示）は、磁石シートであってもよい。
【００１１】
本実施例において、使用の際、まず固定部材１０を取付キャリアに固定取付し、取付が完了すると、回転環４０が回動可能となり、回動中には、回転環４０は、取付キャビティ２１で回動する他に、回転輪２０につき従って、固定部材１０と係着部材３０との間で回転することができ、回転環４０の異なる空間次元での回動を実現している。
この実施例は、構造がシンプルで巧妙であり、機能が実用的であり、現在の人々の使用ニーズを完全に満たすことができる。
図２、図３、図４及び図６に示すように、前記回転輪２０と前記係着部材３０との接触面には、位置決め装置が設けられている。
【００１２】
前記位置決め装置は、
環状をなすように、前記回転輪２０の上面に設けられている少なくとも１つの位置決め溝部２２と、
前記係着部材３０の下面に設けられ、前記位置決め溝部２２と協働する位置決め突起３１と、を含む。
【００１３】
具体的に、回転輪２０及び係着部材３０の回動中に間欠的な角度の位置決めができないことを避けるためには、本技術案では、位置決め装置が更に設けられており、この位置決め装置において、位置決め溝部２２が２４個であり、且つ円環状をなすように並べており、各位置決め溝部２２の間の夾角が１５度であり、位置決め突起３１が１つ設けられており、回転の際、位置決め突起３１と位置決め溝部２２とが協働して、これらの回転の角度を位置決めすることができ、使用中に勝手に回転してしまう問題が回避される。
【００１４】
図２、図３、図５及び図６に示すように、前記固定部材１０には、少なくとも１つの弾性フック１１が設けられ、前記係着部材３０には、前記弾性フック１１と協働する環状係着フランジ３２が設けられている。
【００１５】
具体的に、本実施例において、固定部材１０と係着部材３０とが、弾性フック１１及び環状係着フランジ３２によって固定接続され、両者の間の接続強度が大幅に高まるとともに、フックが弾性フック１１であるため、着脱し易い。
【００１６】
前記弾性フック１１は、少なくとも２つであり、隣接する前記弾性フック１１の間に隙間が形成され、前記環状係着フランジ３２には、前記隙間と協働する第一ストッパー３３が設けられている。
【００１７】
具体的に、本技術案では、第一ストッパー３３が更に設けられており、固定部材１０と係着部材３０とが協働している場合、両者の間で円周方向に沿う相対回転が生じてしまうことを第一ストッパー３３によって制限することができる。
【００１８】
図４及び図７に示すように、前記回転環４０は、
切り欠き４１１が設けられている環体であって、前記回転輪の外側壁に設けられ、前記回転輪２０の外側壁と協働する環体４１と、
前記切り欠き４１１の間に設けられ、前記取付キャビティ２１と協働する回転ロッド４２と、を含む。
前記回転ロッド４２には、少なくとも１つの第二ストッパー４２１が設けられており、前記取付キャビティ２１は、回転ロッド４２と協働する回転ロッド回転用キャビティ２１１と、前記第二ストッパー４２１と協働するストッパー回転用キャビティ２１２と、を含む。
【００１９】
具体的に、本実施例では、第二ストッパー４２１及びストッパー回転用キャビティ２１２が設けられており、回転ロッド４２が９０度回転した後、第二ストッパー４２１がストッパー回転用キャビティ２１２に沿って回転し、最終的には、第二ストッパー４２１が、取付キャリアに接触するとともに、取付キャリアに係着固定されるようになり、回転ロッド４２の固定が実現される。
【００２０】
この構造は、携帯電話スタンドとして回転環４０を使用して映画を見るとき、好ましい役割を果たすことができる。
【００２１】
図４及び図７に示すように、前記回転ロッド回転用キャビティ２１１の側壁には、少なくとも１つの弧状係着溝２１１１が設けられ、前記回転ロッド４２には、前記弧状係着溝２１１１と協働する弧状突起４２２が設けられている。
【００２２】
具体的に、回転ロッド４２と回転ロッド４２の取付キャビティとの係着をより堅固にするため、本技術案では、弧状係着溝２１１１及び弧状突起４２２が設けられており、両者の係着固定によって、両者の接続強度が高められる。
【００２３】
なお、弧状係着溝２１１１は３つであり、異なる弧状係着溝２１１１と協働することによって回転ロッド４２の角度調節を実現することができる。
【００２４】
前記第二ストッパー４２１の高さは、前記回転ロッド４２と取付キャリアとの間の隙間の幅よりも大きい。
【００２５】
図１〜図３に示すように、前記係着部材３０上面には、円環状ざぐりが設けられ、前記円環状ざぐりには、ポリカーボネート（ＰＣ）シート５０が設けられている。
【００２６】
具体的に、本実施例では、ＰＣシート５０が採用されており、ＰＣシート５０は、ガラス材質であり、このリングホルダーの美観を高め、市場競争力を向上させるために、様々な色を選んでもよい。
【００２７】
以上をまとめ、本実用新案は、固定層（不図示）が下面に設けられている固定部材１０と、前記固定部材１０の上面に回転接続され、取付キャビティ２１が側壁に設けられている回転輪２０と、前記固定部材１０と協働して、前記回転輪２０を前記固定部材１０との間に固定する係着部材３０と、前記回転輪２０の外側壁に設けられ、前記回転輪２０の外側壁と協働するであって、前記取付キャビティ２１に回転接続されている回転環４０と、を含む。上記の設計により、その構造がシンプルで巧妙であり、機能が実用的であり、現在の人々の使用ニーズを完全に満たすことができる。
【図１】
0003226348.tif 000003
【図２】
0003226348.tif 000004
【図３】
0003226348.tif 000005
【図４】
0003226348.tif 000006
【図５】
0003226348.tif 000007
【図６】
0003226348.tif 000008
【図７】
0003226348.tif 000009